(57)【要約】【課題】時分割駆動方式におけるＤＡＣ、ＡＭＰ等のオフセット電圧バラツキによる画質劣化を改善し、高画質化を実現することができる表示装置用駆動回路を提供する。【解決手段】表示装置用駆動回路において、階調デジタルデータの入力先について、ＤＡＣ回路の複数のＤＡＣのうち、階調電圧のオフセット電圧差を分散させるように切り替えるための切替制御信号に基づいて、どれか１つを選択するための切替スイッチ回路Ａ２０９と、ＡＭＰ回路の複数のＡＭＰからの階調電圧出力のうち、階調電圧のオフセット電圧差を分散させるように切り替えるための切替制御信号に基づいて、どれか１つを選択するための切替スイッチ回路Ｂ２１４とを備え、デジタルデータをアナログ階調電圧へ変換する際に使用するＤＡＣ＆ＡＭＰを１信号線ごとに切り替えることで、ＤＡＣ＆ＡＭＰのオフセット電圧バラツキを面内で分散させる。【選択図】図１
2008107611.tif 000002
【特許請求の範囲】
【請求項１】
表示データに応じた階調電圧を、縦横に列設された信号線及び走査線と、前記信号線及び走査線の交点付近に形成された画素トランジスタとからなる表示部へ出力する表示装置用駆動回路であって、
階調デジタルデータを保持しておくための表示データメモリと、
前記表示データメモリから時分割で出力された前記階調デジタルデータをアナログ電圧へ変換するための複数のＤＡコンバータからなるＤＡコンバータ回路と、
前記ＤＡコンバータ回路からの前記アナログ電圧をバッファリングして階調電圧出力として出力するための複数のアンプからなるアンプ回路と、
前記アンプ回路からの前記階調電圧出力はアナログスイッチを介して複数の信号線に接続され、それぞれに接続された前記複数の信号線を時分割で駆動させるための複数のシフトレジスタからなるシフトレジスタ回路と、
前記表示データメモリと前記ＤＡコンバータ回路との間に接続され、前記階調デジタルデータの入力先について、前記ＤＡコンバータ回路の複数のＤＡコンバータのうち、階調電圧のオフセット電圧差を分散させるように切り替えるための切替制御信号に基づいて、どれか１つを選択するための第１の切替スイッチ回路と、
前記アンプ回路と前記シフトレジスタ回路との間に接続され、前記アンプ回路の複数のアンプからの階調電圧出力のうち、前記階調電圧のオフセット電圧差を分散させるように切り替えるための切替制御信号に基づいて、どれか１つを選択するための第２の切替スイッチ回路とを備えたことを特徴とする表示装置用駆動回路。
【請求項２】
請求項１記載の表示装置用駆動回路において、
前記切替制御信号を生成するためのタイミング生成回路を備えたことを特徴とする表示装置用駆動回路。
【請求項３】
請求項２記載の表示装置用駆動回路において、
前記タイミング生成回路のタイミングは外部から独立に設定可能であることを特徴とする表示装置用駆動回路。
【請求項４】
表示データに応じた階調電圧を、縦横に列設された信号線及び走査線と、前記信号線及び走査線の交点付近に形成された画素トランジスタとからなる表示部へ出力する表示装置用駆動回路であって、
階調デジタルデータを保持しておくための表示データメモリと、
前記表示データメモリから時分割で出力された前記階調デジタルデータをアナログ電圧へ変換するための複数のＤＡコンバータからなるＤＡコンバータ回路と、
前記ＤＡコンバータ回路からの前記アナログ電圧をバッファリングして階調電圧出力として出力するための複数のアンプからなるアンプ回路と、
前記アンプ回路からの前記階調電圧出力はアナログスイッチを介して複数の信号線に接続され、それぞれに接続された前記複数の信号線を時分割で駆動させるための複数のシフトレジスタからなるシフトレジスタ回路と、
前記表示データメモリと前記ＤＡコンバータ回路との間に接続され、前記階調デジタルデータの入力先について、前記ＤＡコンバータ回路の複数のＤＡコンバータのうち、フレーム毎に駆動波形を変えて階調電圧のオフセット電圧差を分散させるように切り替えるための切替制御信号に基づいて、どれか１つを選択するための第１の切替スイッチ回路と、
前記アンプ回路と前記シフトレジスタ回路との間に接続され、前記アンプ回路の複数のアンプからの階調電圧出力のうち、前記フレーム毎に駆動波形を変えて階調電圧のオフセット電圧差を分散させるように切り替えるための切替制御信号に基づいて、どれか１つを選択するための第２の切替スイッチ回路とを備えたことを特徴とする表示装置用駆動回路。
【請求項５】
請求項４記載の表示装置用駆動回路において、
前記切替制御信号を生成するためのタイミング生成回路を備えたことを特徴とする表示装置用駆動回路。
【請求項６】
請求項５記載の表示装置用駆動回路において、
前記タイミング生成回路のタイミングは外部から独立に設定可能であることを特徴とする表示装置用駆動回路。
【請求項７】
表示データに応じた階調電圧を、縦横に列設された信号線及び走査線と、前記信号線及び走査線の交点付近に形成された画素トランジスタとからなる表示部へ出力する表示装置用駆動回路であって、
階調デジタルデータを保持しておくための保持回路と、
前記保持回路から時分割で出力された前記階調デジタルデータをアナログ電圧へ変換するための複数の変換回路と、
前記複数の変換回路からの前記アナログ電圧をバッファリングして階調電圧出力として出力するための複数のバッファリング回路と、
前記複数のバッファリング回路からの前記階調電圧出力はアナログスイッチを介して複数の信号線に接続され、それぞれに接続された前記複数の信号線を時分割で駆動させるための複数の時分割駆動回路と、
前記保持回路と前記複数の変換回路との間に接続され、前記階調デジタルデータの入力先について、前記複数の変換回路のうち、階調電圧のオフセット電圧差を分散させるように切り替えるための切替制御信号に基づいて、どれか１つを選択するための第１の切替回路と、
前記複数のバッファリング回路と前記複数の時分割駆動回路との間に接続され、前記複数のバッファリング回路からの階調電圧出力のうち、前記階調電圧のオフセット電圧差を分散させるように切り替えるための切替制御信号に基づいて、どれか１つを選択するための第２の切替回路とを備えたことを特徴とする表示装置用駆動回路。
【請求項８】
請求項７記載の表示装置用駆動回路において、
前記切替制御信号を生成するための生成回路を備えたことを特徴とする表示装置用駆動回路。
【請求項９】
請求項８記載の表示装置用駆動回路において、
前記生成回路のタイミングは外部から独立に設定可能であることを特徴とする表示装置用駆動回路。
【請求項１０】
表示データに応じた階調電圧を、縦横に列設された信号線及び走査線と、前記信号線及び走査線の交点付近に形成された画素トランジスタとからなる表示部へ出力する表示装置用駆動回路であって、
階調デジタルデータを保持しておくための保持回路と、
前記保持回路から時分割で出力された前記階調デジタルデータをアナログ電圧へ変換するための複数の変換回路と、
前記複数の変換回路からの前記アナログ電圧をバッファリングして階調電圧出力として出力するための複数のバッファリング回路と、
前記複数のバッファリング回路からの前記階調電圧出力はアナログスイッチを介して複数の信号線に接続され、それぞれに接続された前記複数の信号線を時分割で駆動させるための複数の時分割駆動回路と、
前記保持回路と前記複数の変換回路との間に接続され、前記階調デジタルデータの入力先について、前記複数の変換回路のうち、フレーム毎に駆動波形を変えて階調電圧のオフセット電圧差を分散させるように切り替えるための切替制御信号に基づいて、どれか１つを選択するための第１の切替回路と、
前記複数のバッファリング回路と前記複数の時分割駆動回路との間に接続され、前記複数のバッファリング回路からの階調電圧出力のうち、前記フレーム毎に駆動波形を変えて階調電圧のオフセット電圧差を分散させるように切り替えるための切替制御信号に基づいて、どれか１つを選択するための第２の切替回路とを備えたことを特徴とする表示装置用駆動回路。
【請求項１１】
請求項１０記載の表示装置用駆動回路において、
前記切替制御信号を生成するための生成回路を備えたことを特徴とする表示装置用駆動回路。
【請求項１２】
請求項１１記載の表示装置用駆動回路において、
前記生成回路のタイミングは外部から独立に設定可能であることを特徴とする表示装置用駆動回路。
【発明の詳細な説明】
【技術分野】
【０００１】
本発明は、階調を示す表示データに応じた階調電圧を複数の画素が配列された表示パネルへ出力する表示装置用駆動回路に関し、例えばＴＦＴ（Ｔｈｉｎ  Ｆｉｌｍ  Ｔｒａｎｓｉｓｔｏｒ）液晶等を用いたアクティブマトリクス型の表示装置用駆動回路に係り、ＤＡＣ（Ｄｉｇｉｔａｌ  ｔｏ  Ａｎａｌｏｇ  Ｃｏｎｖｅｒｔｅｒ）、ＡＭＰ等のオフセット電圧バラツキによるブロックムラといった画質劣化の改善を可能とする駆動回路に適用して有効な技術に関するものである。
【背景技術】
【０００２】
一般に、アクティブマトリクス型の液晶表示装置は、マトリクス状に配置される複数の画素電極と、これら画素電極に沿って行方向に配置される複数の走査線と、これら画素電極に沿って列方向に配置される複数の信号線と、信号線及び走査線の交点付近に配置される画素ＴＦＴとから成る。
【０００３】
従来のアクティブマトリクス型の液晶表示装置では、外付けのドライバＩＣを用いて信号線への階調電圧書き込みを行っており、信号線数と同数のＤＡＣ、ＡＭＰをドライバＩＣ内に搭載している。従って、液晶パネルの高精細化に伴いＤＡＣ、ＡＭＰの個数は増加するため、回路規模が増大し、ドライバＩＣのコストが増加すると言った問題がある。また、接続端子数も増加し端子間のピッチも狭くなるため、実装工程が困難になるという問題もある。
【０００４】
これらの問題を解決する駆動方法として、時分割駆動法が提案されており、特許文献１に開示されている。時分割駆動とは、複数本の信号線を１単位ブロックとして、この１分割ブロック内の複数本の信号線に与える信号を時系列で駆動回路から出力する一方、液晶表示パネルには複数本の信号線を１単位として時分割スイッチを設け、これら時分割スイッチをＳＲ（Ｓｈｉｆｔ  Ｒｅｇｉｓｔｅｒ）を用いてＯＮすることにより、ドライバＩＣから出力される時系列の信号を時分割して複数本の信号線に順次与える駆動方法である。この時分割駆動法を用いることでＤＡＣ、ＡＭＰを削減することが可能となり、駆動回路の回路面積、接続端子数を削減することができる。
【特許文献１】特開２０００−２２７５８５号公報
【特許文献２】特開２００２−３２８６４４号公報
【発明の開示】
【発明が解決しようとする課題】
【０００５】
図７を用いて、本時分割駆動方式の課題を示す。図７は、本発明に対する比較技術の液晶表示装置における信号線駆動回路の構成、ブロック間のオフセット電圧差を示す。
【０００６】
図７（ａ）に示すように、液晶表示装置内の信号線駆動回路は、表示データメモリ１２４、ＤＡＣ＆ＡＭＰ回路１００、ＳＲ回路１１３、ＳＷ回路１１４を有する。ＤＡＣ＆ＡＭＰ回路１００は、１０５〜１０８のＲＧＢデジタル階調データ１〜４をアナログ電圧へ変換しバッファリングして階調電圧出力１〜４を出力する。階調電圧出力は、１１５〜１１８の複数信号線ブロック１〜４の信号線へとＳＲ回路１１３を構成する１０９〜１１２のＳＲ１〜４により順次書き込まれる。
【０００７】
しかし、前記のような表示装置用駆動回路の場合、個々のＤＡＣ、ＡＭＰに素子バラツキの影響等によりオフセット電圧が生じた場合、図７（ｂ）のように各ブロック間でオフセット電圧に応じた電圧差が生じ、輝度段差が発生するため、単一色のベタ画像を表示しようとした場合でもブロックムラが見えるといった画質劣化の問題が起きる。特許文献２には、通常駆動で、Ｄ／Ａ変換装置から出力されたオフセット電圧を多数のデータラインに分散することが記載されているが、これを時分割駆動で行うことまでは記載されていない。
【０００８】
そこで、本発明の目的は、上記課題を解決すべく、時分割駆動方式におけるＤＡＣ、ＡＭＰ等のオフセット電圧バラツキによる画質劣化を改善し、高画質化を実現することができる表示装置用駆動回路を提供することである。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
本発明は、階調デジタルデータを保持しておくための表示データメモリ（保持回路）と、表示データメモリから時分割で出力された階調デジタルデータをアナログ電圧へ変換するための複数のＤＡＣからなるＤＡＣ回路（変換回路）と、ＤＡＣ回路からのアナログ電圧をバッファリングして階調電圧出力として出力するための複数のＡＭＰからなるＡＭＰ回路（バッファリング回路）と、ＡＭＰ回路からの階調電圧出力はアナログスイッチを介して複数の信号線に接続され、それぞれに接続された複数の信号線を時分割で駆動させるための複数のＳＲからなるＳＲ回路（時分割駆動回路）とを備えた表示装置用駆動回路に適用される。
【００１２】
特に、本発明の表示装置用駆動回路は、表示データメモリとＤＡＣ回路との間に接続され、階調デジタルデータの入力先について、ＤＡＣ回路の複数のＤＡＣのうち、階調電圧のオフセット電圧差を分散させるように切り替えるための切替制御信号に基づいて、どれか１つを選択するための第１の切替スイッチ回路（切替回路）と、ＡＭＰ回路とＳＲ回路との間に接続され、ＡＭＰ回路の複数のＡＭＰからの階調電圧出力のうち、階調電圧のオフセット電圧差を分散させるように切り替えるための切替制御信号に基づいて、どれか１つを選択するための第２の切替スイッチ回路（切替回路）とを追加して備えたことを特徴とする。また、切替制御信号は、フレーム毎に駆動波形を変えるようにする信号にも適用可能である。
【発明の効果】
【００１３】
本願において開示される発明のうち、代表的なものによって得られる効果を簡単に説明すれば以下のとおりである。
【００１４】
本発明によれば、印加電圧で表示輝度を制御する液晶パネルや有機ＥＬパネル等を用いた表示装置において、ＤＡＣ、ＡＭＰ等のオフセット電圧バラツキが起因の画質劣化を抑制することで、多様な表示パネルに対して高画質化を実現することが可能となる。
【発明を実施するための最良の形態】
【００１５】
以下、本発明の実施の形態を図面に基づいて詳細に説明する。なお、実施の形態を説明するための全図において、同一の機能を有する部材には原則として同一の符号を付し、その繰り返しの説明は省略する。
【００１６】
本発明が適用するような表示画像においては、まとまったブロックのような面状で輝度差が生じた場合は人の目に視認されやすいが、それが１画素毎のように空間周波数が高い状態であれば視認されにくくなる。そこで、本発明では、信号線駆動回路内のＤＡＣ、ＡＭＰを１信号線ごとに切り替えることにより、信号線に書き込まれる階調電圧のオフセット電圧差を分散させ平滑化することで人の目に視認されにくくする方式を提案する。以下において、主に液晶パネルを用いた液晶表示装置を例に、各実施例を具体的に説明する。
【実施例１】
【００１７】
本発明による実施の形態１の液晶表示装置を、図１〜図４を用いて説明する。
【００１８】
まず、図１により、本実施の形態の液晶表示装置における信号線駆動回路の構成の一例を説明する。本実施の形態では、水平方向２４０ライン、垂直方向３２０ラインのＱＶＧＡ画素数のパネルを想定している。
【００１９】
本実施の形態において、信号線駆動回路の基本構成は、前述した図７と同様であり、階調デジタルデータを保持しておくための表示データメモリ１２４、この表示データメモリ１２４から時分割で出力された階調デジタルデータをアナログ電圧へ変換するための複数のＤＡＣと、この複数のＤＡＣからのアナログ電圧をバッファリングして階調電圧出力として出力するための複数のＡＭＰからなるＤＡＣ＆ＡＭＰ回路１００、このＤＡＣ＆ＡＭＰ回路１００からの階調電圧出力はアナログスイッチを介して複数の信号線に接続され、それぞれに接続された複数の信号線を時分割で駆動させるための複数のＳＲからなるＳＲ回路１１３、このＳＲ回路１１３から液晶パネルに接続するための複数のＳＷからなるＳＷ回路１１４を有する。
【００２０】
これらに加えて、ＤＡＣ＆ＡＭＰ回路１００の前段に、階調デジタルデータの入力先について、複数のＤＡＣのうち、どれか１つを選択するための切替スイッチ回路Ａ２０９を、ＤＡＣ＆ＡＭＰ回路１００の後段に、複数のＡＭＰからの階調電圧出力のうち、どれか１つを選択するための切替スイッチ回路Ｂ２１４を付加した構成となっている。切替スイッチ回路Ａは、２０５〜２０８のＤＡＣ＆ＡＭＰ切替選択スイッチＡ１〜４を有する。切替スイッチ回路Ｂは、２１０〜２１３のＤＡＣ＆ＡＭＰ切替選択スイッチＢ１〜４を有する。それぞれのＤＡＣ＆ＡＭＰ切替スイッチの駆動は、階調電圧のオフセット電圧差を分散させるように切り替えるための２０１〜２０４のＤＡＣ＆ＡＭＰ切替制御信号１〜４により行われる。
【００２１】
表示データメモリ１２４からは、信号線に対応する１０５〜１０８のＲＧＢデジタル階調データ１〜４が順に切替スイッチ回路Ａ２０９に入力される。具体的には、信号線１〜６０ラインに対応するデジタル階調データと、信号線６１〜１２０ラインに対応するデジタル階調データと、信号線１２１〜１８０ラインに対応するデジタル階調データとが時分割で入力されることにより、１水平ライン分の表示が完了する。
【００２２】
このように、本実施の形態では、信号線を６０本おきに時分割で駆動するため、ＤＡＣ、ＡＭＰを信号線の総数の１／４だけ設ければよく、従来に比べてドライバＩＣの回路面積を削減出来る。
【００２３】
デジタルデータ入力端子からＤＡＣ＆ＡＭＰ切替選択スイッチＡ１〜４へと入力されたＲＧＢデジタル階調データは、ＤＡＣ＆ＡＭＰ回路１００内の１０１〜１０４のＤＡＣ＆ＡＭＰ１〜４のうち、ＤＡＣ＆ＡＭＰ切替制御信号１〜４に基づき選択されたどれか１つのＤＡＣ＆ＡＭＰへと入力される。入力されたデジタルデータはＤＡＣによりアナログ階調電圧値へと変換され、ＡＭＰを介して出力される。
【００２４】
ＡＭＰを介して出力されたアナログ電圧出力は、切替スイッチ回路Ｂ２１４内のＤＡＣ＆ＡＭＰ切替選択スイッチＢ１〜４へと入力され、ＤＡＣ＆ＡＭＰ切替制御信号に基づき選択されたスイッチを通り、１２０〜１２３の階調電圧出力端子１〜４から出力され、１０９〜１１２のＳＲ１〜４により、順次ＯＮされたスイッチを介して液晶パネル１１９の信号線へと出力される。
【００２５】
液晶パネル１１９は、１１５〜１１８の複数信号線ブロック１〜４からなる。この液晶パネル１１９には、縦横に列設された信号線及び走査線と、信号線及び走査線の交点付近に形成された画素トランジスタが配置されている。
【００２６】
次に、図２により、本実施の形態のＤＡＣ＆ＡＭＰ切替駆動のタイミングの一例について説明する。
【００２７】
図２で、表示データメモリ１２４から切替スイッチ回路Ａ２０９に入力される１０５〜１０８のＲＧＢデジタル階調データ１〜４の信号内に記載された番号は水平方向の画素番号を表わしており、水平方向１〜６０までのデジタル階調データと、水平方向６１〜１２０までのデジタル階調データと、水平方向１２１〜１８０までのデジタル階調データと、水平方向１８１〜２４０までのデジタル階調データとが順番に入力される。
【００２８】
２０１〜２０４のＤＡＣ＆ＡＭＰ切替制御信号１〜４について、ＤＡＣ＆ＡＭＰ切替制御信号がハイ状態のときにＤＡＣ＆ＡＭＰ切替選択スイッチＡのスイッチがＯＮとなり、どのＤＡＣ＆ＡＭＰを使用してデジタル階調データをアナログ階調電圧へと変換して出力するかが決定される。
【００２９】
例として、複数信号線ブロック１内の信号線１〜６０ライン目までに関してのＤＡＣ＆ＡＭＰ切替駆動について説明する。
【００３０】
垂直方向１ライン目に関しては、まず、ＤＡＣ＆ＡＭＰ切替制御信号１がハイ状態となり、信号線１ライン目にはＤＡＣ＆ＡＭＰ１を使用した階調電圧の書込みが行われる。次に、ＤＡＣ＆ＡＭＰ切替制御信号２がハイ状態となり、信号線２ライン目にはＤＡＣ＆ＡＭＰ２を使用した階調電圧の書込みが行われる。次に、ＤＡＣ＆ＡＭＰ切替制御信号３がハイ状態となり、信号線３ライン目にはＤＡＣ＆ＡＭＰ３を使用した階調電圧の書込みが行われる。次に、ＤＡＣ＆ＡＭＰ切替制御信号４がハイ状態となり、信号線４ライン目にはＤＡＣ＆ＡＭＰ４を使用した階調電圧の書込みが行われる。以上の動作を繰り返すことで、信号線６０ライン目までの書込みを順次行う。これ以外の複数信号線ブロックについても同様に、ＤＡＣ＆ＡＭＰを切り替えながら階調電圧の書込みを行い、１水平ラインすべての書込みが完了する。
【００３１】
続いて、垂直方向２ライン目に関しては、まず、ＤＡＣ＆ＡＭＰ切替制御信号３がハイ状態となり、信号線１ライン目にはＤＡＣ＆ＡＭＰ３を使用した階調電圧の書込みが行われる。次に、ＤＡＣ＆ＡＭＰ切替制御信号４がハイ状態となり、信号線２ライン目にはＤＡＣ＆ＡＭＰ４を使用した階調電圧の書込みが行われる。次に、ＤＡＣ＆ＡＭＰ切替制御信号１がハイ状態となり、信号線３ライン目にはＤＡＣ＆ＡＭＰ１を使用した階調電圧の書込みが行われる。次に、ＤＡＣ＆ＡＭＰ切替制御信号２がハイ状態となり、信号線４ライン目にはＤＡＣ＆ＡＭＰ２を使用した階調電圧の書込みが行われる。以上の動作を繰り返すことで、信号線６０ライン目までの書込みを順次行う。
【００３２】
同様に、垂直方向３ライン目以降についても、ＤＡＣ＆ＡＭＰ切替制御信号のタイミングに従い、ＤＡＣ＆ＡＭＰの切替動作を行いながら信号線への書込みを行う。
【００３３】
図２のタイミングチャート中の階調電圧出力時に使用したＤＡＣ＆ＡＭＰ番号は、１２０〜１２３の階調電圧出力端子１〜４から出力される階調電圧がどのＤＡＣ＆ＡＭＰを使用したものであるかを表わしている。
【００３４】
図３は、例として単一色画像表示時において、図２のタイミングチャートに従い、本駆動方式を適用してオフセット電圧バラツキを分散させた場合の表示画像を模式的に示したものである。図３中の液晶パネル１１９内のドットは１画素を表わしており、各画素内に記述された番号は、信号線への階調電圧書き込みに使用したＤＡＣ＆ＡＭＰの番号を表わしている。
【００３５】
以上より、１信号線ごとに書込みに使用するＤＡＣ、ＡＭＰを切り替えることが出来る構成とすることで、ＤＡＣ、ＡＭＰのオフセット電圧バラツキを分散させ目立たなくすることでブロックムラを改善し、高画質化を実現することが可能となる。
【００３６】
次に、図４により、前述した信号線駆動回路を搭載した、本実施の形態における液晶表示装置の構成の一例を説明する。図４は、液晶表示装置を示す構成図である。
【００３７】
本実施の形態における液晶表示装置５０１は、液晶パネル１１９、液晶パネル１１９の信号線に表示データに対応した階調電圧を出力する信号線駆動回路５０２、液晶パネル１１９の走査線に走査信号を印加するための走査線駆動回路５１３、信号線駆動回路５０２と走査線駆動回路５１３に動作用電源を供給する電源回路５１２から構成される。
【００３８】
この液晶表示装置５０１には、液晶パネル１１９に画像を表示させるための各種処理を行うＭＰＵ（マイクロプロセッサユニット）５０３が接続されている。
【００３９】
信号線駆動回路５０２は、このＭＰＵ５０３との間で表示データ及び制御用データのやり取りを行うためのシステムインターフェース５０４と、システムインターフェース５０４より出力された表示データを格納するための表示データメモリ１２４と、階調電圧の設定値を制御する制御レジスタ５０６、階調電圧生成回路５０７、ＤＡＣ＆ＡＭＰ切替制御信号生成回路５０８、切替スイッチ回路Ａ２０９、切替スイッチ回路Ｂ２１４、ＤＡＣ＆ＡＭＰ回路１００、ＳＲ制御信号生成回路５１０、ＳＲ回路１１３、及びＳＷ回路１１４を含んだ構成となる。
【００４０】
システムインターフェース５０４は、ＭＰＵ５０３が出力する表示データ及びインストラクションを受け、制御レジスタ５０６へ出力する動作を行う。動作の詳細は、例えば６８系１６ｂｉｔのバスインターフェースに準拠しており、チップ選択を示すＣＳ（Ｃｈｉｐ  Ｓｅｌｅｃｔ）信号、制御レジスタのアドレスを指定するのかデータを指定するのかを選択するＲＳ（Ｒｅｇｉｓｔｅｒ  Ｓｅｌｅｃｔ）信号、処理動作の起動を指示するＥ（Ｅｎａｂｌｅ）信号、データの書き込み又は読み出しを選択するＷＲ（Ｗｒｉｔｅ  Ｒｅａｄ）信号、制御レジスタのアドレス又はデータの設定値であるＤＡＴＡ信号で構成される。
【００４１】
ここで、インストラクションとは、信号線駆動回路５０２、走査線駆動回路５１３、電源回路５１２の内部動作を決定するための情報であり、フレーム周波数、駆動ライン数、駆動電圧等の各種パラメータを含む。また、本発明の特徴である、ＤＡＣ＆ＡＭＰ切替制御信号２０１〜２０４、ＳＲ制御信号５１１に関する情報も含む。そして、制御レジスタ５０６は、インストラクションのデータを格納し、これを各駆動回路のブロックへ出力する。
【００４２】
また、信号線駆動回路５０２内にはＤＡＣ＆ＡＭＰ切替制御信号生成回路５０８を備え、このＤＡＣ＆ＡＭＰ切替制御信号生成回路５０８は、切替スイッチ回路Ａ２０９及び切替スイッチ回路Ｂ２１４を駆動するための２０１〜２０４のＤＡＣ＆ＡＭＰ切替制御信号を出力する。
【００４３】
また、信号線駆動回路５０２内にはＳＲ制御信号生成回路５１０を備え、このＳＲ制御信号生成回路５１０は、ＳＲ回路１１３を駆動するためのＳＲ制御信号５１１を出力する。
【００４４】
以上より、ＤＡＣ＆ＡＭＰ切替制御信号２０１〜２０４は外部から独立に容易に変更可能となり、切替駆動のタイミングの調整を容易とすることで、多様な液晶パネルにおいて、高画質化を実現することができる。
【実施例２】
【００４５】
本発明による実施の形態２の液晶表示装置を、図５、図６を用いて説明する。
【００４６】
前記実施の形態１のように、使用するＤＡＣ＆ＡＭＰを信号線ごとに切り替える駆動方式の場合、オフセット電圧バラツキの如何によっては、切替駆動の影響により縦スジや格子縞等の固定パターンが見えてしまうといった不具合が生じる可能性がある。
【００４７】
そこで、本実施の形態では、フレームごとに信号線書込みに使用するＤＡＣ＆ＡＭＰを変える、すなわちオフセット電圧バラツキの分散の仕方をフレーム毎に変えることで、画素の階調電圧レベルを時間方向で平均化し、縦スジや格子縞を改善する仕組みを提案する。
【００４８】
図５は、フレームごとに各信号線書込みに使用するＤＡＣ＆ＡＭＰを変化させた場合の表示画像を模式的に示している。この場合、ある１画素に関して、フレームごとにＤＡＣ＆ＡＭＰ１〜４を交互に使用した書き込みを行うことで、４フレームで各画素のオフセット電圧バラツキが平均化される。全画素で同様の効果が起きることから、縦スジや格子縞等の画質劣化が改善可能となる。
【００４９】
図６は、本実施の形態のＤＡＣ＆ＡＭＰ切替駆動のタイミングの一例を示したものである。図６から、１フレーム目と２フレーム目とでＤＡＣ＆ＡＭＰ切替制御信号１〜４の駆動波形を変えていることが分かる。
【００５０】
例として、複数信号線ブロック１内のＤＡＣ＆ＡＭＰ切替駆動について説明する。
【００５１】
１フレーム目の垂直方向１ライン目に関しては、まず、ＤＡＣ＆ＡＭＰ切替制御信号１がハイ状態となり、信号線１ライン目にはＤＡＣ＆ＡＭＰ１を使用した階調電圧の書込みが行われる。次に、ＤＡＣ＆ＡＭＰ切替制御信号２がハイ状態となり、信号線２ライン目にはＤＡＣ＆ＡＭＰ２を使用した階調電圧の書込みが行われる。次に、ＤＡＣ＆ＡＭＰ切替制御信号３がハイ状態となり、信号線３ライン目にはＤＡＣ＆ＡＭＰ３を使用した階調電圧の書込みが行われる。次に、ＤＡＣ＆ＡＭＰ切替制御信号４がハイ状態となり、信号線４ライン目にはＤＡＣ＆ＡＭＰ４を使用した階調電圧の書込みが行われる。以上の動作を繰り返すことで、信号線６０ライン目までの書込みを順次行う。これ以外の複数信号線ブロックについても同様に、ＤＡＣ＆ＡＭＰを切替ながら階調電圧の書込みを行うことにより、１水平ラインすべての書込みが完了する。同様に、垂直方向２ライン目以降に関しても書き込みを行い、１フレーム目の書込みが完了する。
【００５２】
続いて、２フレーム目の垂直方向１ライン目に関しては、まず、ＤＡＣ＆ＡＭＰ切替制御信号２がハイ状態となり、信号線１ライン目にはＤＡＣ＆ＡＭＰ２を使用した階調電圧の書込みが行われる。次に、ＤＡＣ＆ＡＭＰ切替制御信号３がハイ状態となり、信号線２ライン目にはＤＡＣ＆ＡＭＰ３を使用した階調電圧の書込みが行われる。次に、ＤＡＣ＆ＡＭＰ制御信号４がハイ状態となり、信号線３ライン目にはＤＡＣ＆ＡＭＰ４を使用した階調電圧の書込みが行われる。次に、ＤＡＣ＆ＡＭＰ切替制御信号１がハイ状態となり、信号線４ライン目にはＤＡＣ＆ＡＭＰ１を使用した階調電圧の書込みが行われる。以上の動作を繰り返すことで、信号線６０ライン目までの書込みを順次行う。このように１フレーム目と同様に、制御信号に従いＤＡＣ＆ＡＭＰの切替動作を行いながら信号線への階調電圧書込みを行い、２フレーム目の書込みを完了する。
【００５３】
以上のように、１フレーム目、２フレーム目、３フレーム目、４フレーム目で信号線書込みに使用するＤＡＣ、ＡＭＰを変えて、画素の階調レベルを時間方向で平均化し、縦スジや格子縞を改善する仕組みを提案する。
【００５４】
以上のように、ＤＡＣ＆ＡＭＰ切替制御信号をフレームごとに変化させ、同一画素書込みに使用するＤＡＣ＆ＡＭＰをフレームごとに切り替える、すなわちオフセット電圧バラツキの分散の仕方をフレーム毎に変えることで表示画像が時間方向で平均化され、縦スジや格子縞等のパターンは解消され、高画質化を実現することが可能となる。
【００５５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５６】
例えば、前記実施の形態１，２では、２４０×３２０の解像度のディスプレイを想定しているが、本発明は、これ以外の解像度のディスプレイであってもかまわない。
【００５７】
また例えば、前記実施の形態１，２では、水平方向の解像度を２４０とし、６０時分割の４ブロック構成としたが、本発明では、８０時分割の３ブロック構成等のようにしてもよい。
【００５８】
また例えば、本発明は、ＤＡＣ＆ＡＭＰの切替を４ブロックすべてで行うのではなく、隣接した２ブロックずつで行う構成とすることで、切替ＳＷの数を減らし回路規模の削減を図ることも可能である。
【００５９】
また例えば、切替スイッチ回路Ａ、切替スイッチ回路Ｂは、ＳＷに限らず、切替機能を持つものであれば、ハードウェア機能やソフトウェア機能などの何でもかまわない。
【００６０】
また例えば、前記実施の形態１，２では、信号線駆動回路内にＳＲ回路を設けたが、低温ポリシリコン技術等を用いて液晶パネル内に内蔵する、すなわち液晶パネルのガラス基板上に形成することも可能である。
【００６１】
また例えば、前記実施の形態１，２では、液晶表示装置を例に説明を行ったが、これに限られる訳ではなく、印加する電圧によって表示輝度を制御する他の表示デバイス、例えば有機ＥＬディスプレイ等にも適用可能である。
【００６２】
また、前記実施の形態１，２では、説明を簡単にするため、液晶の駆動等で必要な極性反転駆動に関する概念を省いたが、コモン反転、列毎反転、ドット反転といった各種方式へも容易に適用可能である。
【産業上の利用可能性】
【００６３】
本発明は、表示装置用駆動回路に関し、例えばＴＦＴ液晶等を用いたアクティブマトリクス型の表示装置用駆動回路や、有機ＥＬディスプレイ等の表示装置用駆動回路に利用可能である。
【図面の簡単な説明】
【００６４】
【図１】本発明の実施の形態１の液晶表示装置における信号線駆動回路を示す構成図である。
【図２】本発明の実施の形態１の液晶表示装置において、ＤＡＣ＆ＡＭＰ切替駆動を示すタイミングチャートである。
【図３】本発明の実施の形態１の液晶表示装置において、ＤＡＣ＆ＡＭＰ切替駆動を行った場合の表示画像を模式的に示す図である。
【図４】本発明の実施の形態１の液晶表示装置を示す構成図である。
【図５】本発明の実施の形態２の液晶表示装置において、フレームごとに各信号線書込みに使用するＤＡＣ＆ＡＭＰを変化させた場合の表示画像を模式的に示す図である。
【図６】本発明の実施の形態２の液晶表示装置において、ＤＡＣ＆ＡＭＰ切替駆動を示すタイミングチャートである。
【図７】本発明に対する比較技術の液晶表示装置における信号線駆動回路を示す構成図（ａ）、ブロック間のオフセット電圧差を示す図（ｂ）である。
【符号の説明】
【００６５】
１００…ＤＡＣ＆ＡＭＰ回路、１０１〜１０４…ＤＡＣ＆ＡＭＰ１〜４、１０５〜１０８…ＲＧＢデジタル階調データ１〜４、１０９〜１１２…ＳＲ１〜４、１１３…ＳＲ回路、１１４…ＳＷ回路、１１５〜１１８…複数信号線ブロック１〜４、１１９…液晶パネル、１２０〜１２３…階調電圧出力端子１〜４、１２４…表示データメモリ、２０１〜２０４…ＤＡＣ＆ＡＭＰ切替制御信号１〜４、２０５〜２０８…ＤＡＣ＆ＡＭＰ切替選択スイッチＡ１〜４、２０９…切替スイッチ回路Ａ、２１０〜２１３…ＤＡＣ＆ＡＭＰ切替選択スイッチＢ１〜４、２１４…切替スイッチ回路Ｂ、５０１…液晶表示装置、５０２…信号線駆動回路、５０３…ＭＰＵ、５０４…システムインターフェース、５０６…制御レジスタ、５０７…階調電圧生成回路、５０８…ＤＡＣ＆ＡＭＰ切替制御信号生成回路、５１０…ＳＲ制御信号生成回路、５１１…ＳＲ制御信号、５１２…電源回路、５１３…走査線駆動回路。
【図１】
2008107611.tif 000003
【図２】
2008107611.tif 000004
【図３】
2008107611.tif 000005
【図４】
2008107611.tif 000006
【図５】
2008107611.tif 000007
【図６】
2008107611.tif 000008
【図７】
2008107611.tif 000009